(57)【要約】【課題】プラント階層に対応していない制御装置に対してもプラント階層を利用することができる機器管理システムを実現する。【解決手段】プラントに存在する機器を管理する機器管理システムに関するものである。機器のうち、ＯＰＣサーバを介して管理される機器の機器情報を収集するデータ収集手段と、機器情報からノード識別子を抽出するノード識別子抽出手段と、ノード識別子を設備名として定義し、機器管理ファイルを作成する設備名定義手段と、機器管理ファイルに基づいてプラントに存在する機器をプラント階層に分けて体系化して管理する機器管理手段と、機器管理手段に従って機器情報を表示する表示手段とを設けた。【選択図】図１
2008158613.tif 000002
【特許請求の範囲】
【請求項１】
プラントに存在する機器を管理する機器管理システムにおいて、
前記機器のうち、ＯＰＣサーバを介して管理される機器の機器情報を収集するデータ収集手段と、
前記機器情報からノード識別子を抽出するノード識別子抽出手段と、
前記ノード識別子を設備名として定義し、機器管理ファイルを作成する設備名定義手段と、
前記機器管理ファイルに基づいてプラントに存在する機器をプラント階層に分けて体系化して管理する機器管理手段と、
該機器管理手段に従って機器情報を表示する表示手段と、
を有することを特徴とする機器管理システム。
【請求項２】
前記機器情報は、機器の論理的識別子であるタグ名を含んでいることを特徴とする請求項１記載の機器管理システム。
【請求項３】
前記機器情報は、機器で発生するアラーム及びイベントのメッセージを含んでいることを特徴とする請求項１又は２記載の機器管理システム。
【請求項４】
前記機器管理ファイルは前記設備名とタグ名を対応付けていることを特徴とする請求項２又は３記載の機器管理システム。
【請求項５】
前記機器管理手段は、ユーザによるフィルタリング条件に従って、前記表示手段により表示される機器情報を前記プラント階層に応じてフィルタリングすることを特徴とする請求項１乃至４のいずれかに記載の機器管理システム。
【請求項６】
前記機器管理手段は、ユーザのセキュリティレベルに従って、前記表示手段により表示されるオブジェクトの操作を前記プラント階層に応じて可能とすることを特徴とする請求項１乃至５のいずれかに記載の機器管理システム。
【発明の詳細な説明】
【技術分野】
【０００１】
本発明は、プラントに存在する機器を管理する機器管理システムに関するものである。
【背景技術】
【０００２】
機器管理システムでは機器をプラント階層と呼ばれるツリー構造で体系立てて管理できるようにしている。プラント階層を利用することにより、プラント全体を階層化して扱うことができるようになる。
【０００３】
図３はプラント階層の概念図である。
図３（ａ）はプラント階層に対応している制御装置、図３（ｂ）はプラント階層に対応していない制御装置の機器管理の概念を表している。
プラント階層に対応している制御装置の場合、プラント全体をツリー形式で表すことができ、設備名により階層的に体系付けられている。
【０００４】
図３（ａ）で、ＳＩＴＥ０１はプロジェクト名、ＳＴＮ００１，ＳＴＮ００２は制御ステーション（制御装置）名、ＤＲＷ０１１，ＤＲＷ０１２，ＤＲＷ０２１は制御ドローイング名（２つ以上の機能ブロックで構成する制御のまとまり）を表しており、その下に機能の識別名称であるタグ名が割り付いている状態を示している。プロジェクト名、制御ステーション名、制御ドローイング名等の設備名で分類して階層化されている。
【０００５】
図３（ｂ）で、プラント階層に対応していない制御装置の場合、それぞれのタグ名はあるもののプラント階層の概念がないので設備名が割り付いておらず、制御ステーションが違うタグであっても、その違いは識別されていない。
【０００６】
【特許文献１】特開２００５−３４６４４４号公報
【発明の開示】
【発明が解決しようとする課題】
【０００７】
プラント階層に対応していない制御装置の場合、アプリケーションデータの操作監視や、アラーム等のメッセージの監視等において、プラント階層を利用した機器管理を行うことができなかった。
また、プラント階層に対応している制御装置とプラント階層に対応していない制御装置を接続したシステムにおいて、同等なエンジニアリングや操作監視を行うことができないという問題点があった。
【０００８】
本発明は上述した問題点を解決するためになされたものであり、プラント階層に対応していない制御装置に対してもプラント階層を利用することができる機器管理システムを実現することを目的とする。
【課題を解決するための手段】
【０００９】
このような課題を達成するために、本発明は次のとおりの構成になっている。
（１）プラントに存在する機器を管理する機器管理システムにおいて、
前記機器のうち、ＯＰＣサーバを介して管理される機器の機器情報を収集するデータ収集手段と、
前記機器情報からノード識別子を抽出するノード識別子抽出手段と、
前記ノード識別子を設備名として定義し、機器管理ファイルを作成する設備名定義手段と、
前記機器管理ファイルに基づいてプラントに存在する機器をプラント階層に分けて体系化して管理する機器管理手段と、
該機器管理手段に従って機器情報を表示する表示手段と、
を有することを特徴とする機器管理システム。
【００１０】
（２）前記機器情報は、機器の論理的識別子であるタグ名を含んでいることを特徴とする（１）記載の機器管理システム。
【００１１】
（３）前記機器情報は、機器で発生するアラーム及びイベントのメッセージを含んでいることを特徴とする（１）又は（２）記載の機器管理システム。
【００１２】
（４）前記機器管理ファイルは前記設備名とタグ名を対応付けていることを特徴とする（２）又は（３）記載の機器管理システム。
【００１３】
（５）前記機器管理手段は、ユーザによるフィルタリング条件に従って、前記表示手段により表示される機器情報を前記プラント階層に応じてフィルタリングすることを特徴とする（１）乃至（４）のいずれかに記載の機器管理システム。
【００１４】
（６）前記機器管理手段は、ユーザのセキュリティレベルに従って、前記表示手段により表示されるオブジェクトの操作を前記プラント階層に応じて可能とすることを特徴とする（１）乃至（５）のいずれかに記載の機器管理システム。
【発明の効果】
【００１５】
本発明によれば次のような効果がある。
プラント階層に対応していない制御装置に対してもプラント階層を利用することができるようになり、プラント全体のエンジニアリングや操作監視を効率よく行うことができる。
【発明を実施するための最良の形態】
【００１６】
以下、図面を用いて本発明を詳細に説明する。
図１は本発明の一実施例を示す構成図である。
データ収集手段１０はＯＰＣサーバ（図示せず）からデータ（機器情報）をブラウズした時にブラウズファイル１１として記録する。ブラウズファイル１１には機器情報の中にノード識別子が含まれ、ノード識別子抽出手段２１によりノード識別子を検索し、抽出する。
【００１７】
設備名定義手段２２はプラントに存在する機器をプラント階層に分けて体系化して管理する際に使用する機器管理ファイル３１を作成する。
プラント階層に対応していない制御装置の場合、タグ名に対して設備名が割り付いておらず、設備名を定義する必要がある。設備名定義手段２２はノード識別子抽出手段２１からノード識別子を受け取り、ノード識別子を設備名として機器管理ファイル３１に定義する。
【００１８】
機器管理手段３０は機器管理ファイル３１に基づいてプラントに存在する機器をプラント階層に分けて体系化して管理を行う。表示手段４０は機器管理手段３０の処理に従って機器情報を画面表示する。
機器管理手段３０はシステムの持つ多数の機器をプラントの運転形態、操業形態、設備形態等に応じて、階層的に体系付けて扱うことができる。
【００１９】
プラント階層の設備名を指定すると、その設備オブジェクトに属する機器から発生したメッセージだけを表示手段４０に表示することができる。さらに上位の設備名を指定すれば、その設備オブジェクトの下位にある全ての機器のメッセージを表示することができる。
このように、プラント階層に対応していない制御装置に属する機器に対しても設備名を指定することにより、メッセージを運転範囲や監視範囲ごとに分けて扱う（フィルタリングする）ことが可能となり、異常の発生源を迅速に特定したり、特定の設備を集中監視したりする場合に有効となる。
【００２０】
また、セキュリティ機能として、ユーザごとの操作監視範囲を定義する際に、プラント階層の設備名をキーワードとして指定すると、プラント階層に基づいた操作監視範囲の設定が可能となる。
このように、プラント階層に対応していない制御装置に対しても設備名を指定することにより、ユーザのセキュリティレベルに従って操作監視範囲を特定することができ、誤操作防止等につながり、プラントを安全に操業することができる。
【００２１】
図２は制御装置によるプラント制御の概念図である。
フィールド機器５１はプラント階層に対応している制御装置６１及び、プラント階層に対応していない制御装置６２により制御される。
制御装置６１は制御バスにより操作監視ステーション７１、エンジニアリングステーション７２につながる。操作監視ステーション７１は、プラントの操作、監視を行い、エンジニアリングステーション７２は、アプリケーションの構築等を行う。ここで、本発明の機器管理システムは、操作監視ステーション７１及びエンジニアリングステーション７２に相当する部分である。操作監視ステーション７１とエンジニアリングステーション７２が１つにまとまっている場合であってもよい。
【００２２】
ＯＰＣ（OLE for Process Control）インターフェースと呼ばれるプロセス制御標準のオブジェクト・アクセス・インターフェースが定義されている。各社独自の専用端末を用意しなくとも、他の制御装置のプロセスデータを取得することができるように構成されている。
ＯＰＣサーバ６３はプラント階層に対応していない制御装置６２からアプリケーションデータを受け取り、ゲートウェイ６４においてデータ変換をして制御バスにより操作監視ステーション７１、エンジニアリングステーション７２にデータを受け渡す。
また、ＯＰＣサーバ６３はアラーム等のメッセージを受け取り、オープンバスにより作監視ステーション７１、エンジニアリングステーション７２にメッセージを受け渡す。
【００２３】
ＯＰＣサーバ６３は制御装置と接続する際に各機器に対してノード識別子を定義しており、これを図１のノード識別子抽出手段２１で抽出し、設備名定義手段２２で設備名として自動的に定義することにより、ユーザがひとつひとつ設備名を定義していく煩わしさがなくなる。
【００２４】
このように、プラント階層に対応している制御装置とプラント階層に対応していない制御装置が混在するプラントにおいて、プラント階層に対応していない制御装置に対して自動的に設備名を割り付けることによりプラント階層が利用可能となり、プラント全体のエンジニアリングや操作監視を容易にすることができる。
また、他社の制御装置に対しても同様にプラント階層に対応することができる。
【図面の簡単な説明】
【００２５】
【図１】本発明の一実施例を示す構成図である。
【図２】制御装置によるプラント制御の概念図である。
【図３】プラント階層の概念図である。
【符号の説明】
【００２６】
１０  データ収集手段
２１  ノード識別子抽出手段
２２  設備名定義手段
３１  機器管理ファイル
３０  機器管理手段
４０  表示手段
【図１】
2008158613.tif 000003
【図２】
2008158613.tif 000004
【図３】
2008158613.tif 000005